(57)【特許請求の範囲】
【請求項１】
先端に洗浄用ノズルが設けられた略筒状のスライダーと、このスライダーを出し入れ自在に収納するノズルシリンダとを備えた局部洗浄装置であって、スライダーが出し入れされるノズルシリンダの先端開口部の内壁面に、スライダーの下面と摺接する受け面と、スライダーの両側面と摺接する両側の摺動面とを形成し、両側の摺動面のそれぞれの下部側面に、スライダーとノズルシリンダとが接触し得ないようにするための隙間を設け、ノズルシリンダの先端開口部の内面形状とスライダーの外面形状とを略相似形とすると共に、ノズルシリンダの両側の摺動面のそれぞれの上部側面が、スライダーの左右の動きを規制する当接面となっていることを特徴とする局部洗浄装置。
【発明の詳細な説明】
【０００１】
【発明の属する技術分野】
この発明は、局部洗浄装置に関し、詳しくは例えば臀部専用ノズル或いはビデ専用ノズルの一方又は両方を備えたトイレ設備用の局部洗浄装置に関するものである。
【０００２】
【従来の技術】
従来より、この種の局部洗浄装置１として、図５に示すように、先端に洗浄用ノズル２が設けられた略筒状のスライダー３と、このスライダー３を出し入れ自在に収納するノズルシリンダ４とを備え、液圧式或いは電動式によってスライダー３が駆動されて、温水タンク（図示せず）内の洗浄水がノズルシリンダ４内からスライダー３内を通って洗浄用ノズル２に供給されるようにしたものが知られている。ここで、スライダー３が出し入れされるノズルシリンダ４の先端開口部５の内壁面には、図６に示すように、スライダー３の下面３ａと摺接する受け面７と、スライダー３の両側面３ｂと摺接する両側の摺動面８とが設けられている。図６（ａ）は、スライダー３の外面形状が上下両面が平坦な略円形状の場合を示しており、図６（ｂ）はスライダー３の外面形状が六角形状の場合を示している。そして、使用の初期には、ノズルシリンダ４の両側の摺動面８の下部斜面８ｂ1 （又は下部弧面８ｂ2 ）とスライダー３の両側面３ｂとの間には、約０．０７ｍｍの嵌合隙間がそれぞれ確保されており、この微量の嵌合隙間によってスライダー３がノズルシリンダ４の摺動面８の下部斜面８ｂ1 （又は下部弧面８ｂ2 ）に全面接触するのを防止して、スライダー３をスムーズに動作させるようにしている。
【０００３】
【発明が解決しようとする課題】
ところが、スライダー３を繰り返し駆動すると、スライダー３の自重と水の重さでノズルシリンダ４の受け面７が磨耗し、図６（ａ）に示す略円形状のスライダー３の場合にあっては、図７（ａ）に示すようにノズルシリンダ４の両側の下部斜面８ｂ1 とスライダー３との嵌合隙間がゼロとなり、スライダー３がノズルシリンダ４の下部斜面８ｂ1 に全面接触するようになる。一方、図６（ｂ）に示す六角形状のスライダー３の場合にあっては、図７（ｂ）に示すようにノズルシリンダ４の両側の下部弧面８ｂ2 とスライダー３との嵌合隙間がゼロとなり、やはり、スライダー３がノズルシリンダ４の下部弧面８ｂ2 に全面接触するようになる。この結果、いずれの場合も、ノズルシリンダ４の受け面７の磨耗に伴い、スライダー３とノズルシリンダ４との摺動面積が増加して摺動抵抗が増大し、スライダー３がスムーズに動作しなくなるという問題がある。
【０００４】
本発明は、上記従来例に鑑みてなされたもので、繰り返し使用しても、スライダーとノズルシリンダとの摺動面積が増加するのを防止でき、スライダーの安定した可動が常に得られるようにした局部洗浄装置を提供することを目的とする。
【０００５】
【課題を解決するための手段】
上記課題を解決するために、本発明は、先端に洗浄用ノズル２が設けられた略筒状のスライダー３と、このスライダー３を出し入れ自在に収納するノズルシリンダ４とを備えた局部洗浄装置であって、スライダー３が出し入れされるノズルシリンダ４の先端開口部５の内壁面に、スライダー３の下面３ａと摺接する受け面７と、スライダー３の両側面３ｂと摺接する両側の摺動面８とを形成し、両側の摺動面８のそれぞれの下部側面８ｂ1 （又は８ｂ2 ）に、スライダー３とノズルシリンダ４とが接触し得ないようにするための隙間９を設け、ノズルシリンダ４の先端開口部５の内面形状とスライダー３の外面形状とを略相似形とすると共に、ノズルシリンダ４の両側の摺動面８のそれぞれの上部側面８ａが、スライダー３の左右の動きを規制する当接面１０となっていることを特徴としており、このように構成することで、スライダー３を繰り返し駆動してノズルシリンダ４の受け面７が磨耗した場合でも、ノズルシリンダ４の両側の下部側面８ｂ1 （又は８ｂ2 ）には隙間９によってスライダー３が当たらないようにすることができるので、摺動抵抗の増大を防いで、スライダー３を常にスムーズに出し入れできるようになる。
【０００６】
また、上記ノズルシリンダ４の先端開口部５の内面形状とスライダー３の外面形状とを略相似形としたので、ノズルシリンダ４は各種の形状のスライダー３に対応できると共に、ノズルシリンダ４に隙間９を設けることによって、どの種類のスライダー３でも、常にスムーズな安定動作が得られるようにしてノズルシリンダ４に取付け可能となる。
【０００７】
また上記ノズルシリンダ４の両側の摺動面８のそれぞれの上部側面８ａが、スライダー３の左右の動きを規制する当接面１０となっているから、受け面７が磨耗したときでも、ノズルシリンダ４の両側の当接面１０は、スライダー３の自重と水の重さとがかからない部分であるので、スライダー３の摺動抵抗の増加を防止しながら、スライダー３の左右の動きを規制できるようになる。
【０００８】
【発明の実施の形態】
以下、本発明の実施形態の一例を説明すると、トイレ設備用の局部洗浄装置１は、図２及び図３に示すように、先端に洗浄用ノズル２が設けられた略筒状のスライダー３と、このスライダー３を出し入れ自在に収納するノズルシリンダ４とを備えており、液圧式或いは電動式によってスライダー３が駆動されて、温水タンク（図示せず）内の洗浄水がノズルシリンダ４内からスライダー３内を通って洗浄用ノズル２に供給されるようになっている。この局部洗浄装置１は、例えば図４に示すように、便座１１に取付けて使用される。図４は洗浄用ノズル２として、臀部専用ノズルとビデ専用ノズルとを備えた場合を示しているが、必ずしもこれに限定されるものではない。図中の１２は便座蓋である。
【０００９】
ノズルシリンダ４の先端開口部５の内壁面には、図１に示すように、スライダー３の下面３ａと摺接する下側の受け面７と、スライダー３の両側面３ｂと摺接する両側の摺動面８とが形成されており、両側の摺動面８のそれぞれの下部側面には、スライダー３とノズルシリンダ４とが接触し得ないようにするための隙間９が設けられている。
【００１０】
ここで、図１（ａ）の実施形態では、上下両面が平坦な略円筒状のスライダー３をノズルシリンダ４の先端開口部５内に出し入れ自在に収納した場合を示しており、このノズルシリンダ４の先端開口部５の内面形状は略円筒状のスライダー３の外周形状と略相似形に形成されている。ノズルシリンダ４の両側の下部弧面８ｂ1 には凹状の切り欠き１３ａがそれぞれ形成されており、この切り欠き１３ａによってスライダー３とノズルシリンダ４の下部弧面８ｂ1 とが接触し得ないようにするための隙間９が形成されている。このノズルシリンダ４の両側の上部側面８ａは、微量な嵌合隙間をあけてスライダー３に当接する弧面状の当接面１０となっており、この当接面１０によってスライダー３の左右の動きが規制されている。
【００１１】
また、図１（ｂ）の実施形態では、六角筒状のスライダー３をノズルシリンダ４の先端開口部５内に出し入れ自在に収納した場合を示しており、このノズルシリンダ４の先端開口部５の内面形状は六角筒状のスライダー３の外周形状と略相似形に形成されている。ノズルシリンダ４の両側の下部斜面８ｂ2 には、凹状の切り欠き１３ｂがそれぞれ形成されており、この切り欠き１３ｂによってスライダー３とノズルシリンダ４の両側の下部斜面８ｂ2 とが接触し得ないようにするための隙間９が形成されている。ノズルシリンダ４の両側の上部側面８ａは、微量な嵌合隙間をあけてスライダー３に当接する斜面状の当接面１０となっており、この当接面１０によってスライダー３の左右の動きが規制されている。
【００１２】
なお、略相似形のノズルシリンダ４の内面形状及びスライダー３の外面形状は、図１（ａ）（ｂ）の実施形態に限定されるものではない。
しかして、図１（ａ）に示す切り欠き１３ａ又は図１（ｂ）に示す切り欠き１３ｂによって、ノズルシリンダ４の両側の下部側面（下部弧面８ｂ1 又は下部斜面８ｂ2 ）に、スライダー３とノズルシリンダ４とが接触し得ないようにするための隙間９を形成してあるので、使用の初期はもちろん、スライダー３を繰り返し駆動してノズルシリンダ４の受け面７が磨耗した場合であっても、ノズルシリンダ４の両側の下部側面にスライダー３が当たらないようになる。つまり、受け面７が磨耗しても、上記隙間９によってノズルシリンダ４の受け面７以外の部分にはスライダー３の自重と水の重さがかからなくなり、受け面７のみでスライダー３を受けることができるようになるので、スライダー３とノズルシリンダ４との摺動面積は変わらず、従って、摺動抵抗の増大を防止でき、スライダー３の安定した可動が常に得られるものである。そのうえノズルシリンダ４の両側の上部側面８ａに設けた当接面１０は、スライダー３の自重と水の重さとがかからない部分であるので、受け面７が磨耗したときでも、当接面１０とスライダー３との摺動抵抗が増加することもなく、従って、スライダー３の左右の動きを常に規制でき、スライダー３のよりスムーズな動きを確保できるようになる。
【００１３】
また、上記効果を得るために、ノズルシリンダ４の下部側面８ｂ1 （又は８ｂ2 ）を切り欠くという簡単な改良で済み、そのうえスライダー３は既存のものをそのまま使用できるので、コストアップを防止できる。さらに、ノズルシリンダ４の先端開口部５の内面形状とスライダー３の外面形状とを略相似形としたことにより、ノズルシリンダ４は各種の形状のスライダー３に対応できるようになる。つまり、各種の形状のノズルシリンダ４に隙間９を設けることによって、受け面７が磨耗した場合でもスライダー３とノズルシリンダ４とが接触し得ないようにすることができ、さらに、当接面１０によってスライド３の左右の動きを常に規制できるようになるので、どの種類のスライダー３にも容易に対応できるものとなる。
【００１４】
前記実施形態では、便座に取付けて使用される局部洗浄装置を例示したが、携帯用の局部洗浄装置についても広く適用できるのはもちろんのことである。
【００１５】
【発明の効果】
以上説明したように、本発明のうち請求項１記載の発明は、先端に洗浄用ノズルが設けられた略筒状のスライダーと、このスライダーを出し入れ自在に収納するノズルシリンダとを備えた局部洗浄装置であって、スライダーが出し入れされるノズルシリンダの先端開口部の内壁面に、スライダーの下面と摺接する受け面と、スライダーの両側面と摺接する両側の摺動面とを形成し、両側の摺動面のそれぞれの下部側面に、スライダーとノズルシリンダとが接触し得ないようにするための隙間を設けたから、スライダーを繰り返し駆動してノズルシリンダの受け面が磨耗した場合でも、ノズルシリンダの両側の下部側面には隙間によってスライダーが当たらないようになり、従って、スライダーとノズルシリンダとの摺動面積が変わらず、摺動抵抗の増大を防止できるので、スライダーのスムーズな出し入れが維持され、スライダーの安定した可動が常に得られるようになる。しかも、ノズルシリンダの下部側面に隙間を設けるという簡単な改良で済むので、コストアップを防止できる。
【００１６】
また上記ノズルシリンダの先端開口部の内面形状とスライダーの外面形状とを略相似形としたから、ノズルシリンダは各種の形状のスライダーに対応できると共に、ノズルシリンダに隙間を設けることによって、どの種類のスライダーでも、常にスムーズな動きが得られるようにしてノズルシリンダに取付け可能となる。
【００１７】
また上記ノズルシリンダの両側の摺動面のそれぞれの上部側面が、スライダーの左右の動きを規制する当接面となっているので、受け面が磨耗したときでも、ノズルシリンダの両側の当接面は、スライダーの自重と水の重さとがかからない部分であるので、スライダーの摺動抵抗の増加を防止しながら、スライダーの左右の動きを規制でき、スライダーのがたつきの発生を防止できる。
【図面の簡単な説明】
【図１】本発明の実施形態の一例を示し、（ａ）は略円筒状のスライダーとノズルシリンダとの摺動部分の断面図、（ｂ）は六角筒状のスライダーとノズルシリンダとの摺動部分の断面図である。
【図２】同上の洗浄用ノズルをノズルシリンダ内に収納した状態の断面図である。
【図３】同上の洗浄用ノズルをノズルシリンダから突出させた状態の断面図である。
【図４】同上の局部洗浄装置を備えた温水洗浄便座の斜視図である。
【図５】洗浄用ノズルをノズルシリンダ内に収納した状態の断面図である。
【図６】（ａ）（ｂ）は従来の洗浄用ノズルをノズルシリンダ内に収納した状態の断面図である。
【図７】（ａ）（ｂ）は従来のノズルシリンダの受け面の磨耗時を説明する断面図である。
【符号の説明】
１  局部洗浄装置
２  洗浄用ノズル
３  スライダー
３ａ  下面
３ｂ  側面
４  ノズルシリンダ
５  先端開口部
７  受け面
８  摺動面
８ａ  上部側面
８ｂ1 ，８ｂ2   下部側面
９  隙間
１０  当接面
【図１】
0003687327.tif 000002
【図２】
0003687327.tif 000003
【図３】
0003687327.tif 000004
【図４】
0003687327.tif 000005
【図５】
0003687327.tif 000006
【図６】
0003687327.tif 000007
【図７】
0003687327.tif 000008